(57)【特許請求の範囲】
【請求項１】
ベース盤に立設する支柱と、該支柱に固着するクランプ体と、クランプ体を介して複数台の薄型ディスプレイを角度調整自在に支持する複数個の支持体とを有する薄型ディスプレイ用スタンドにおいて、支持体は、クランプ体側に固定する側面略コ字形状の連結具と、該連結具に上下端部を軸着されて左右揺動自在に保持されたピボット軸受と、該ピボット軸受を介して薄型ディスプレイに固定する平面略コ字形状のヒンジ体とを有し、ピボット軸受の左右側面の内部に装着した複数枚の皿ばねを介してヒンジ体をピボット軸受に軸着し、該ヒンジ体の先端に固定した薄型ディスプレイをピボット軸受にて上下揺動自在に支持することを特徴とする薄型ディスプレイ用スタンド。
【請求項２】
前記支柱に略水平に装着する支持杆を前記クランプ体にて固定し、該支持杆に複数個の支持体を併設した請求項１記載の薄型ディスプレイ用スタンド。
【請求項３】
前記ピボット軸受の左右両側面の内部に、固定ナットと、平円錐状に成形したドーナツ形の複数枚の皿ばねとを順次埋設し、板状のヒンジ体を貫通する締付ボルトで固定ナットを締め付けることにより、圧縮される皿ばね体で板状のヒンジ体がピボット軸受側に付勢された状態で固定される請求項１記載の薄型ディスプレイ用スタンド。
【請求項４】
前記ピボット軸受において、埋設した皿ばね体をピボット軸受内部に封じ込めるふさぎ板をピボット軸受の左右側面に装着し、該ふさぎ板と前記ヒンジ体との間に合成樹脂製のワッシャーを介して締付ボルトで軸着された請求項３記載の薄型ディスプレイ用スタンド。
【発明の詳細な説明】
【０００１】
【発明の属する技術分野】
本発明は、例えば証券会社、病院、オフィス等において複数台の薄型ディスプレイを同時に使用する際に好適な薄型ディスプレイ用スタンドに関する。
【０００２】
【従来の技術】
薄型ディスプレイを支持するスタンドとして、特開平4-15680号公報に記載された平面形ディスプレイ装置や、特開平9-326980号公報に記載の情報モニター装置などが提案されている。
【０００３】
前者の平面形ディスプレイ装置は、屈曲自在なアーム部の先端に平面形ディスプレイを支持する装置で、このアーム部を屈曲して、先端部に支持した平面形ディスプレイの位置を調整できるようにしたものである。
【０００４】
後者の情報モニター装置は、支柱の両端を天井部と床部に当接させて固定し、この支柱に薄板状の情報表示部を上下位置調整可能に保持する装置である。この装置は、多関節アームを使用して情報モニターを支持する他、上下左右に屈曲する継ぎ手を介し、薄型モニターを直接支柱に連結することもできる。
【０００５】
【発明が解決しようとする課題】
ところが、薄型ディスプレイを支持する従来のスタンドでは、いずれも屈曲自在なアーム部や、多関節アームを用いて薄型ディスプレイを支持する装置であるため、複数の薄型ディスプレイを同時に支持する場合には、これらの薄型ディスプレイを支持する複数のアームが必要になる。そこで、証券会社、病院、オフィス等において、一人の使用者が複数台の薄型ディスプレイを同時に使用するために、各薄型ディスプレイのレイアウトを好みの位置に調整するような場合には、複数本のアームが薄型ディスプレイの後方で嵩張る上、各アームが互いの妨げになる不都合もある。したがって、一台のスタンドに、複数台の薄型ディスプレイを縦並びや横並びに併設する場合、従来の屈曲自在なアーム類の使用は適当ではなかった。
【０００６】
一方、後者の情報モニター装置の如く、上下左右に屈曲する継ぎ手を使用して、薄型モニターを支柱に直接連結する手段も提案されているが、この場合、薄型モニターを支持する継ぎ手の支持強度に課題を残している。すなわち、薄型ディスプレイの重量は、画面の大きさにより異なるが、証券会社、病院、オフィス等において一般に使用されている薄型モニターは、平均７〜10ｋｇのものが使用されている。このような重量の薄型ディスプレイを上下左右に角度調整し、且つ、調整した位置に薄型ディスプレイを固定しておくには、相応の支持強度を有した継ぎ手が必要になる。
【０００７】
ところが、従来提案されている継ぎ手の構造は、揺動軸を介して軸着した構造を成しているので、薄型ディスプレイの上下、左右の角度調整は可能でも、調整後の薄型ディスプレイが自重で傾いてしまう虞がある。このため、調整した位置でそのまま薄型ディスプレイを固定することが困難な構造になっており、調整した位置をそのままの状態に保つには、何らかのロック機構や、支持荷重を分散できる前述のアーム類の使用が不可欠になっていた。
【０００８】
そこで本発明は、上述の課題を解消すべく創出されたもので、複数台の薄型ディスプレイをレイアウト自在に支持することが可能で、しかも、調整した位置をそのまま固定することができる薄型ディスプレイ用スタンドの提供を目的とするものである。
【０００９】
【課題を解決するための手段】
上述の目的を達成すべく本発明の第１の手段は、ベース盤１０に立設する支柱２０と、該支柱２０に固着する複数個のクランプ体３０と、各クランプ体３０に連結して複数台の薄型ディスプレイＰを角度調整自在に支持する複数個の支持体４０とを有する薄型ディスプレイ用スタンドにおいて、支持体４０は、クランプ体３０側に固定する側面略コ字形状の連結具４１と、該連結具４１に上下端部を軸着されて左右揺動自在に保持されたピボット軸受４２と、該ピボット軸受４２を介して薄型ディスプレイＰに固定する平面略コ字形状のヒンジ体４３とを有し、ピボット軸受４２の左右側面の内部に装着した複数枚の皿ばね４２Ａを介してヒンジ体４３をピボット軸受４２に軸着し、該ヒンジ体４３の先端に固定した薄型ディスプレイＰをピボット軸受４２にて上下揺動自在に支持することにある。
【００１０】
第２の手段は、支柱２０に略水平に装着する支持杆５０を前記クランプ体３０にて固定し、該支持杆５０に複数個の支持体４０を併設するものである。
【００１１】
第３の手段は、ピボット軸受４２の左右両側面の内部に、固定ナット４２Ｂと、平円錐状に成形したドーナツ形の複数枚の皿ばね４２Ａとを順次埋設し、板状のヒンジ体４３を貫通する締付ボルト４４で固定ナット４２Ｂを締め付けることにより、圧縮される皿ばね４２Ａで板状のヒンジ体４３がピボット軸受４２側に付勢された状態で固定する。
【００１２】
第４の手段は、ピボット軸受４２において、埋設した皿ばね４２Ａをピボット軸受４２内部に封じ込めるふさぎ板４５をピボット軸受４２の左右側面に装着し、該ふさぎ板４５と前記ヒンジ体４３との間に合成樹脂製のワッシャー４６を介して締付ボルト４４で軸着することを課題解消のための手段とする。
【００１３】
本発明によると、薄型ディスプレイＰに固定する平面略コ字形状のヒンジ体４３は、ピボット軸受４２の左右側面の内部に装着した複数枚の皿ばね４２Ａを介してピボット軸受４２に上下揺動自在に軸着され、薄型ディスプレイＰを支持した状態で、調整した角度に薄型ディスプレイＰを保持するものである。
【００１４】
【発明の実施の形態】
以下、図面を参照して本発明の実施の形態を説明する。本発明スタンドは、ベース盤１０に立設した一本の支柱２０に複数台の薄型ディスプレイＰを併設できるようにしている（図２、図５参照）。
【００１５】
ベース盤１０は、床面の任意の位置に載置するもので、このベース盤１０に立設した支柱２０や、支柱２０に連結した支持杆５０に複数台の薄型ディスプレイＰを装着する（図５参照）。そのため、図示例のベース盤１０は、略正方形状に形成すると共に、薄型ディスプレイＰの支持バランスをとるために、支柱２０の立設位置をベース盤１０の中央より後方位置に設置している（図３、６参照）。
【００１６】
クランプ体３０は、支柱２０に固着する金具で、このクランプ体３０に支持体４０を連結保持する（図１参照）。図１、図３に示すクランプ体３０は、支柱２０の上下に一対固着し、各クランプ体３０に支持体４０を連結している。この場合、支柱２０の上下に一対の薄型ディスプレイＰを併設することができる。また、クランプ体３０の数を増してより多くの薄型ディスプレイＰを併設することも可能である。図示のクランプ体３０は、支柱２０の側面を挟着する一対の挟着板３１を連結ねじ３２で固定し、挟着板３１の先端部に連結した連結体３３に支持体４０を固定している（図３参照）。
【００１７】
一方、図４乃至６に示すように、クランプ体３０を使用して支柱２０に支持杆５０を連結し、この支持杆５０に左右一対の支持体４０を装着してもよい。この場合、支持杆５０に設けた長孔５１を利用して薄型ディスプレイＰの装着位置を調整することができる。図示のクランプ体３０は、支柱２０を介して支持杆５０にねじ止めするタイプのクランプ体３０を使用している。また、支持杆５０には、長孔５１を通して支持杆５０に支持体４０をスライド自在に固定する調整ツマミ５２を設けてあり、この調整ツマミ５２の先端に支持体４０を固着している（図４、図７参照）。図示例では１本の支持杆５０を装着しているが、複数本の支持杆５０を支柱２０の上下に装着することも可能である。
【００１８】
支持体４０は、クランプ体３０や支持杆５０に連結して複数台の薄型ディスプレイＰを角度調整自在に軸支するものであり、連結具４１、ピボット軸受４２、ヒンジ体４３で構成されている（図８参照）。
【００１９】
連結具４１は、クランプ体３０側に固定する側面略コ字形状の部材である。すなわち、前記クランプ体３０の連結体３３や、支持杆５０の調整ツマミ５２に連結具４１を固定する（図１、図４参照）。
【００２０】
ピボット軸受４２は、連結具４１に上下端部を軸支されて左右揺動自在に保持される部材である。このピボット軸受４２の左右側面の内部には、複数枚の皿ばね４２Ａが装着されており、この皿ばね４２Ａを介して後述するヒンジ体４３が軸着されている（図８、図９参照）。すなわち、ピボット軸受４２の左右両側面の内部に、固定ナット４２Ｂと、平円錐状に成形したドーナツ形の複数枚の皿ばね４２Ａとを順次埋設する。そして、板状のヒンジ体４３を貫通する締付ボルト４４を皿ばね４２Ａのセンター孔に挿通し、締付ボルト４４の先端を固定ナット４２Ｂに締め付けることにより、圧縮される皿ばね４２Ａで板状のヒンジ体４３がピボット軸受４２側に付勢された状態で固定するものである（図９参照）。このように、ヒンジ体４３の角度調整時の支点を、皿ばね４２Ａによる大きな押し付け荷重で保持することで、高い操作性及び位置安定性と高剛性とを得ることができる。
【００２１】
このとき、埋設した皿ばね４２Ａをピボット軸受４２内部に封じ込めるふさぎ板４５をピボット軸受４２の左右側面に装着し、該ふさぎ板４５と前記ヒンジ体４３との間に合成樹脂製のワッシャー４６を介して締付ボルト４４で軸着することで、角度調整操作をスムーズに行うことができる（図８、図９参照）。尚、図示例では、前述した連結具４１とピボット軸受４２との軸着部分にも、固定ナット４２Ｂａ、皿ばね４２Ａａ、ふさぎ板４５ａ、ワッシャー４６ａを使用し、締付ボルト４４ａで連結具４１に軸着している。各締付ボルト４４、４４ａの頭部には、六角レンチを挿入するための六角穴４４Ａ、４４ｂが形成されている。
【００２２】
ヒンジ体４３は、ピボット軸受４２を介して薄型ディスプレイＰに固定する平面略コ字形状の部材であり、特に、ピボット軸受４２に接する部分を平板状に形成している。そして、ヒンジ体４３の先端に固定した薄型ディスプレイＰをピボット軸受４２にて上下揺動自在に支持する（図８参照）。図示のヒンジ体４３は、ピボット軸受４２のふさぎ板４５やワッシャー４６の直径と略等しい円板形状の挟着板４３Ａを一対形成している。さらに、ヒンジ体４３を貫通する連結ボルト４８にて薄型ディスプレイＰの裏面に固着せしめ固着体４７に連結している。このとき、ヒンジ体４３と固着体４７との間に合成樹脂製のワッシャー４９を介すると共に、薄型ディスプレイＰ側の連結ボルト４８先端に、固着体４７側からスラストナット、皿バネ、Ｕナットを順に装着することで（図示せず）、連結ボルト４８を中心軸として、固着体４７に固定した薄型ディスプレイＰを回転自在に支持している。
【００２３】
【発明の効果】
本発明は、上述の如く構成したことにより当初の目的を達成する。すなわち支持体４０は、クランプ体３０側に固定する側面略コ字形状の連結具４１と、該連結具４１に上下端部を軸着されて左右揺動自在に保持されたピボット軸受４２と、該ピボット軸受４２を介して薄型ディスプレイＰに固定する平面略コ字形状のヒンジ体４３とを有し、ピボット軸受４２の左右側面の内部に装着した複数枚の皿ばね４２Ａを介してヒンジ体４３をピボット軸受４２に軸着し、該ヒンジ体４３の先端に固定した薄型ディスプレイＰをピボット軸受４２にて上下揺動自在に支持するから、複数台の薄型ディスプレイＰを極めてコンパクトに配置することができる。
【００２４】
しかも、各薄型ディスプレイＰを支持する際に、従来のアーム類を使用していないので、複数本のアームが薄型ディスプレイの後方で嵩張り、あるいは、各アームが互いの妨げになるなどといった不都合は解消された。
【００２５】
また、支柱２０に略水平に装着する支持杆５０を前記クランプ体３０にて固定し、該支持杆５０に複数個の支持体４０を併設することにより、複数の薄型ディスプレイＰを横並びに配置したり、支柱２０に沿って縦並びに配置することが自由に選択可能になる。この結果、１本の支柱２０に、複数台の薄型ディスプレイをレイアウト自在に支持することができる。
【００２６】
さらに、ピボット軸受４２の左右両側面の内部に、固定ナット４２Ｂと、平円錐状に成形したドーナツ形の複数枚の皿ばね４２Ａとを順次埋設し、板状のヒンジ体４３を貫通する締付ボルト４４で固定ナット４２Ｂを締め付けることにより、圧縮される皿ばね４２Ａによって、板状のヒンジ体４３がピボット軸受４２側に付勢された状態で固定できるので、薄型ディスプレイＰを支持した状態で調整した角度に薄型ディスプレイＰを保持することが可能になった。
【００２７】
しかも、ピボット軸受４２において、埋設した皿ばね４２Ａをピボット軸受４２内部に封じ込めるふさぎ板４５をピボット軸受４２の左右側面に装着し、該ふさぎ板４５と前記ヒンジ体４３との間に合成樹脂製のワッシャー４６を介して締付ボルト４４で軸着することにより、ピボット軸受４２とヒンジ体４３との摩擦による損傷を防止すると共に、調整したヒンジ体４３の位置を安定した状態で固定することができる。
【００２８】
このように本発明によると、複数台の薄型ディスプレイをレイアウト自在に支持することが可能で、しかも、調整した位置をそのまま固定することができるなどといった有益な種々の効果を奏するものである。
【図面の簡単な説明】
【図１】本発明の一実施例を示す側面図である。
【図２】本発明の一実施例を示す正面図である。
【図３】本発明の他の実施例を示す平面図である。
【図４】本発明の他の実施例を示す側面図である。
【図５】本発明の他の実施例を示す正面図である。
【図６】本発明の他の実施例を示す平面図である。
【図７】本発明の他の実施例を示す背面図である。
【図８】本発明のピボット軸受を示す分解斜視図である。
【図９】本発明の支持体を示す断面図である。
【符号の説明】
Ｐ  薄型ディスプレイ
１０  ベース盤
２０  支柱
３０  クランプ体
４０  支持体
４１  連結具
４２  ピボット軸受        ４２Ａ  皿ばね
４２Ａａ皿ばね
４２Ｂ  固定ナット
４２Ｂａ固定ナット
４３  ヒンジ体            ４３Ａ  挟着板
４３Ｂ  連結板
４４  締付ボルト          ４４Ａ  六角穴
４４ａ締付ボルト          ４４ｂ  六角穴
４５  ふさぎ板
４６  ワッシャー
４６ａワッシャー
４７  固着体
４８  連結ボルト
４９  ワッシャー
５０  支持杆
５１  長孔
５２  調整ツマミ
【図１】
0003700146.tif 000002
【図２】
0003700146.tif 000003
【図３】
0003700146.tif 000004
【図４】
0003700146.tif 000005
【図５】
0003700146.tif 000006
【図６】
0003700146.tif 000007
【図７】
0003700146.tif 000008
【図８】
0003700146.tif 000009
【図９】
0003700146.tif 000010